(57)【要約】      （修正有）【課題】電動回転工具の先端に取り付けられるドライバービットやドリル類の工具を、簡単・確実・安全に交換して使用でき、回転力を確実安全に伝達できるコンパクト設計の継手を提供する。【解決手段】ベース内管１０の一部が、先端方向に傾斜して切欠された傾斜切欠部１２として形成されている。外側バネ１７の先端寄り端部がベース内管１０の直径線方向に伸びるロックピン１７ａとして形成され、ロックピン１７ａがベース内管１０の傾斜切欠部１２に嵌め込まれ、ベース内管１０の内側中空部１１に嵌挿される先端工具の溝部に対し、傾斜切欠部１２内のロックピン１７ａがロック自在である。先端継手ｂの先端嵌挿孔２１にマグネット２２が付与され、ネジ頭部４ａが吸引自在であり、ベース継手ａのロック解除筒体１９によりロック状態が解除され先端方向に飛出される先端工具は、先端嵌挿孔２１内でマグネット２２の吸引力により静止自在である。【選択図】図２
0003136334.tif 000002
【実用新案登録請求の範囲】
【請求項１】
電動回転工具が後部に設置されるロッドが設けられたベース内管と、当該ベース内管の外周に巻装された外側バネと、当該外側バネの外周に外側中空部を設けて配設されるベース外管とを備え、前記ベース内管の内側中空部にドライバービットやドリル等の先端工具の基端部を着脱自在なベース継手であって、
前記ベース内管の一部が、先端方向に傾斜して切欠された傾斜切欠部として形成されていると共に、前記外側バネの先端寄り端部がベース内管の直径線方向に伸びるロックピンとして形成され、当該ロックピンが前記ベース内管の傾斜切欠部に嵌め込まれており、前記ベース内管の内側中空部に嵌挿される先端工具の基端部の溝部に対して、前記傾斜切欠部内のロックピンがロック自在に構成されていることを特徴とする電動回転工具用継手。
【請求項２】
前記ベース継手のベース外管の外周には、スライド移動自在なロック解除筒体が取り付けられ、前記ロック解除筒体の内部には、ベース内管が嵌挿される嵌挿孔を有するリング体が形成されており、当該ロック解除筒体がロッド側に移動されるに従って、前記ベース内管の傾斜切欠部に嵌め込まれているロックピンが、前記リング体によりロッド方向に押し出されつつ、先端工具の溝部から抜け出て先端工具のロック状態を解除自在に構成されていることを特徴とする請求項１に記載した電動回転工具用継手。
【請求項３】
前記ベース継手のベース内管の内側中空部に嵌挿される先端工具を先端方向に付勢する内側バネが、当該ベース内管の内側中空部に装填されていることを特徴とする請求項１又は請求項２に記載した電動回転工具用継手。
【請求項４】
前記ベース継手のベース内管の先端に、別設の先端継手との接続が可能な接続環が設けられていることを特徴とする請求項１又は請求項２又は請求項３に記載した電動回転工具用継手。
【請求項５】
前記ベース継手の先端に着脱自在な先端継手であって、当該先端継手の先端部は、ドライバービットやドリル等の先端工具を嵌挿する先端嵌挿孔に形成され、当該先端嵌挿孔にマグネットが付与されており、前記マグネットにネジの頭部等が吸引自在であると共に、前記ベース継手のロック解除筒体によってロック状態が解除され先端方向に飛出される先端工具は、当該先端継手の先端嵌挿孔内で前記マグネットの吸引力によって静止自在に構成されていることを特徴とする請求項１又は請求項２又は請求項３又は請求項４に記載した電動回転工具用継手。
【請求項６】
前記ベース継手の先端に着脱自在な先端継手の先端嵌挿孔は、その先端が平坦な先端フラット面部に形成され、当該先端フラット面部にもマグネットが付与されていることを特徴とする請求項１又は請求項２又は請求項３又は請求項４又は請求項５に記載した電動回転工具用継手。
【請求項７】
前記ベース継手の先端に着脱自在な先端継手は、先端嵌挿孔を有する先端内管と、その先端内管を覆う先端外管とによる二重管構造に形成されており、前記先端内管にはバネが巻装されて先端外管に係止され、前記先端外管の先端で当該先端内管が伸縮自在に構成されていることを特徴とする請求項１又は請求項２又は請求項３又は請求項４又は請求項５又は請求項６に記載した電動回転工具用継手。
【請求項８】
前記ベース継手の接続環との接続が自在な先端継手の先端外管の基端部は、その内側面が前記接続環を螺合自在な雌ネジを有する基端接続孔に形成され、前記ベース継手の接続環の外周面は雄ネジに形成されていることを特徴とする請求項１又は請求項２又は請求項３又は請求項４又は請求項５又は請求項６又は請求項７に記載した電動回転工具用継手。
【請求項９】
前記ベース継手の接続環との接続が自在な先端継手の先端外管の基端部は、前記接続環を嵌挿する基端接続孔に形成され、当該基端接続孔の内側面に突起部が設けられていることを特徴とする請求項１又は請求項２又は請求項３又は請求項４又は請求項５又は請求項６又は請求項７又は請求項８に記載した電動回転工具用継手。
【考案の詳細な説明】
【技術分野】
【０００１】
本考案は、電動回転工具に取り付けて使用される継手の技術分野に関する。
【背景技術】
【０００２】
電動回転工具に取り付けられる継手（ビット体）として、従来例えば、特開平８−１１８２４７号公開特許公報に記載のものがある。
【０００３】
すなわち、同公報における［発明の実施の形態］には、第二実施例として、ビット杆（断面六角形状）を簡易に交換できる構造のビット体、つまり、ビット杆が嵌入着磁される磁石を断面六角形状のビット挿入孔に内装した筒体を設け、この筒体の基端に自動ドライバーのチャック部に装着する湾曲係止溝を形成した装着体を連設したビット体が開示されている。
【特許文献１】特開平８−２６７３６６号公開特許公報
【考案の開示】
【考案が解決しようとする課題】
【０００４】
前記公開特許公報に記載されたビット体によれば、ドライバービット等のビット杆は、同ビット杆を形成する長い筒体に内装された磁石に着磁されることにより当該ビット体の先端で固定される。
【０００５】
そのため、ビット体の先端からビット挿入孔に嵌入されるビット杆を、他のドリル等の工具に交換する場合、前記内装されている磁石の磁力（吸引力）が強いと前記ビット杆をビット体から取り出しにくい。
【０００６】
逆に、前記ビット体内の磁石の磁力が弱いと、ビット体内に嵌入されたビット杆がぐらつき、回転力が一定せず、ビスやネジ等の螺入作業に支障をきたす虞れがある。
【０００７】
また、前記ビット体は常に磁石の部分だけ長く大きな筒体になり、嵩張って取り扱いにくい。そのため、深い穴の中でビスやネジを締める場合は、前記ビット杆を長いものに交換して使用する必要があるが、長いビット体に更に長いビット杆を嵌入して作業するため作業性が悪い。
【０００８】
したがって、本考案が解決しようとする課題は、電動回転工具の先端に取り付けられる所望のドライバービットやドリル類の工具を、当該継手を介して簡単且つ確実に、しかも安全に交換して使用できる上、長いドライバービット等の前記工具を装着しても回転力を安全確実に伝達できるコンパクト設計の電動回転工具用継手を提供することにある。
【課題を解決するための手段】
【０００９】
上記課題を解決するための手段として、請求項１記載の電動回転工具用継手は、電動回転工具が後部に設置されるロッド１が設けられたベース内管１０と、当該ベース内管１０の外周に巻装された外側バネ１７と、当該外側バネ１７の外周に外側中空部１８を設けて配設されるベース外管１５とを備え、前記ベース内管１０の内側中空部１１にドライバービットやドリル等の先端工具３の基端部を着脱自在なベース継手ａであって、
前記ベース内管１０の一部が、先端方向に傾斜して切欠された傾斜切欠部１２として形成されていると共に、前記外側バネ１７の先端寄り端部がベース内管１０の直径線方向に伸びるロックピン１７ａとして形成され、当該ロックピン１７ａが前記ベース内管１０の傾斜切欠部１２に嵌め込まれており、前記ベース内管１０の内側中空部１１に嵌挿される先端工具３の基端部の溝部３０に対して、前記傾斜切欠部１２内のロックピン１７ａがロック自在に構成されていることを特徴とする。
【００１０】
請求項２記載の考案に係る電動回転工具用継手は、前記ベース継手ａのベース外管１５の外周には、スライド移動自在なロック解除筒体１９が取り付けられ、前記ロック解除筒体１９の内部には、ベース内管１０が嵌挿される嵌挿孔１９ａを有するリング体１９ｂが形成されており、当該ロック解除筒体１９がロッド１側に移動されるに従って、前記ベース内管１０の傾斜切欠部１２に嵌め込まれているロックピン１７ａが、前記リング体１９ｂによりロッド１方向に押し出されつつ、先端工具３の溝部３０から抜け出て先端工具３のロック状態を解除自在に構成されていることを特徴とする。
【００１１】
請求項３記載の考案に係る電動回転工具用継手は、前記ベース継手ａのベース内管１０の内側中空部１１に嵌挿される先端工具３を先端方向に付勢する内側バネ１４が、当該ベース内管１０の内側中空部１１に装填されていることを特徴とする。
【００１２】
請求項４記載の考案に係る電動回転工具用継手は、前記ベース継手ａのベース内管１０の先端に、別設の先端継手ｂとの接続が可能な接続環１３が設けられていることを特徴とする。
【００１３】
請求項５記載の考案に係る電動回転工具用継手は、前記ベース継手ａの先端に着脱自在な先端継手ｂであって、当該先端継手ｂの先端部は、ドライバービットやドリル等の先端工具３を嵌挿する先端嵌挿孔２１に形成され、当該先端嵌挿孔２１の外周にマグネット２２が付与されており、前記マグネット２２にネジ４の頭部４ａ等が吸引自在であると共に、前記ベース継手ａのロック解除筒体１９によってロック状態が解除され先端方向に飛出される先端工具３は、当該先端継手ｂの先端嵌挿孔２１内で前記マグネット２２の吸引力によって静止自在に構成されていることを特徴とする。
【００１４】
請求項６記載の考案に係る電動回転工具用継手は、前記ベース継手ａの先端に着脱自在な先端継手ｂの先端嵌挿孔２１は、その先端が平坦な先端フラット面部２１ａに形成され、当該先端フラット面部２１ａにもマグネット２２が付与されていることを特徴とする。
【００１５】
請求項７記載の考案に係る電動回転工具用継手は、前記ベース継手ａの先端に着脱自在な先端継手ｂは、先端嵌挿孔２１を有する先端内管２０と、その先端内管２０を覆う先端外管２５とによる二重管構造に形成されており、前記先端内管２０にはバネ２４が巻装されて先端外管２５に係止され、前記先端外管２５の先端で当該先端内管２０が伸縮自在に構成されていることを特徴とする。
【００１６】
請求項８記載の考案に係る電動回転工具用継手は、前記ベース継手ａの接続環１３との接続が自在な先端継手ｂの先端外管２５の基端部は、その内側面が前記接続環１３を螺合自在な雌ネジ２６ａを有する基端接続孔２６に形成され、前記ベース継手ａの接続環１３の外周面は雄ネジ１３ａに形成されていることを特徴とする。
【００１７】
請求項９記載の考案に係る電動回転工具用継手は、前記ベース継手ａの接続環１３との接続が自在な先端継手ｂの先端外管２５の基端部は、前記接続環１３を嵌挿する基端接続孔２６に形成され、当該基端接続孔２６の内側面に突起部が設けられていることを特徴とする。
【考案の効果】
【００１８】
請求項１記載の本考案に関する電動回転工具用継手は、電動回転工具が後部に設置されるロッドが設けられたベース内管と、当該ベース内管の外周に巻装された外側バネと、当該外側バネの外周に外側中空部を設けて配設されるベース外管とを備え、前記ベース内管の内側中空部にドライバービットやドリル等の先端工具の基端部を着脱自在なベース継手であって、  前記ベース内管の一部が、先端方向に傾斜して切欠された傾斜切欠部として形成されていると共に、前記外側バネの先端寄り端部がベース内管の直径線方向に伸びるロックピンとして形成され、当該ロックピンが前記ベース内管の傾斜切欠部に嵌め込まれているので、前記ベース内管の内側中空部に嵌挿される先端工具の基端部の溝部に対して、前記傾斜切欠部内のロックピンが確実にロックされ、先端工具への回転力の伝達がスムーズで、当該電動回転工具の使用上の安全性が向上される。また、この継手はコンパクト設計で扱い易い上、製造コストの低廉化にも寄与する。
【００１９】
請求項２記載の本考案に関する電動回転工具用継手は、前記ベース継手のベース外管の外周には、スライド移動自在なロック解除筒体が取り付けられ、前記ロック解除筒体の内部には、ベース内管が嵌挿される嵌挿孔を有するリング体が形成されているから、当該ロック解除筒体がロッド側に移動されるに従って、前記ベース内管の傾斜切欠部に嵌め込まれているロックピンが、前記リング体によりロッド方向に押し出されつつ、先端工具の溝部から抜け出て先端工具のロック状態を簡単かつ確実に解除でき使い勝手に優れている。
【００２０】
請求項３記載の本考案に関する電動回転工具用継手は、前記ベース継手のベース内管の内側中空部に嵌挿される先端工具を先端方向に付勢する内側バネが、当該ベース内管の内側中空部に装填されているので、ロック解除時に、先端工具を容易に取り出せて、違う先端工具への交換作業を楽に行える。
【００２１】
請求項４記載の本考案に関する電動回転工具用継手は、前記ベース継手のベース内管の先端に、別設の先端継手との接続が可能な接続環が設けられているので、当該接続環を利用した先端継手との接続を安全かつ確実に行える。
【００２２】
請求項５記載の本考案に関する電動回転工具用継手は、前記ベース継手の先端に着脱自在な先端継手であって、当該先端継手の先端部は、ドライバービットやドリル等の先端工具を嵌挿する先端嵌挿孔に形成され、当該先端嵌挿孔の外周にマグネットが付与されているので、前記マグネットにネジの頭部等が吸引自在で作業効率がよい。しかも、前記ベース継手のロック解除筒体によってロック状態が解除され先端方向に飛出される先端工具は、当該先端継手の先端嵌挿孔内で前記マグネットの吸引力によって静止され、先端工具の不意な飛び出しによる危険性がなく安全に使用できる。
【００２３】
請求項６記載の本考案に関する電動回転工具用継手は、前記ベース継手の先端に着脱自在な先端継手の先端嵌挿孔の先端が平坦な先端フラット面部に形成され、この先端フラット面部にもマグネットが付与されているので、ネジやビスの頭部が当該先端フラット面部に吸着され、作業効率の向上に貢献する。
【００２４】
請求項７記載の本考案に関する電動回転工具用継手は、前記ベース継手の先端に着脱自在な先端継手が、先端嵌挿孔を有する先端内管と、その先端内管を覆う先端外管とによる二重管構造に形成されており、前記先端内管にはバネが巻装されて先端外管に係止され、前記先端外管の先端で当該先端内管が伸縮自在に構成されているので、前記ネジ頭部の吸着が容易である上、ロック解除された先端工具の飛び出し力を緩衝して作業性の安全化が図られている。
【００２５】
請求項８記載の本考案に関する電動回転工具用継手は、前記ベース継手の接続環との接続が自在な先端継手の先端外管の基端部は、その内側面が前記接続環を螺合自在な雌ネジを有する基端接続孔に形成され、前記ベース継手の接続環の外周面は雄ネジに形成されているので、ベース継手と先端継手との強固な接続による安全性の向上に寄与する。
【００２６】
請求項９記載の本考案に関する電動回転工具用継手は、前記ベース継手の接続環との接続が自在な先端継手の先端外管の基端部は、前記接続環を嵌挿する基端接続孔に形成され、当該基端接続孔の内側面に突起部が設けられているので、簡便構造でありながらベース継手と先端継手を簡単に接続でき手間がかからず便利である。
【考案を実施するための最良の形態】
【００２７】
請求項１〜９に係る電動回転工具用継手は、電動回転工具（図示は省略）と、その先端に取り付けられるドライバービットやドリルといった工具（以下、先端工具ということがある。）の継手として使用される。以下、ドライバービットを工具として使用する場合の実施形態につき、図面に従いながら説明する。
【００２８】
この電動回転工具用継手は、図１に示したような２種類の管体であるベース継手ａと先端継手ｂとを組合せた併用タイプ（図２、図３参照）で好適に使用されるほか、ベース継手ａだけで使用すること（図７参照）も可能である。
【００２９】
まず最初に、ベース継手ａについて説明する。
【００３０】
本実施形態のベース継手ａの基本構造は、図１〜図４に示したように、電動回転工具が後部に設置されるロッド１が設けられたベース内管１０と、当該ベース内管１０の外周に巻装された外側バネ１７と、当該外側バネ１７の外周に外側中空部１８の空所を設けて配設可能な大きさで取り付けられたベース外管１５とで成る。なお、前記ベース外管１５の基端には、Ｃ型リングが嵌挿されて固定されている（図４参照）。
【００３１】
ベース内管１０の内側中空部１１には、その内側中空部１１に嵌挿されるドライバービット３を先端方向に付勢する内側バネ１４が装填されている。また、ベース内管１０の先端に、後述する先端継手ｂとの接続が可能な接続環１３が設けられている。
【００３２】
そして、前記ベース内管１０の中空内部は、横断面形状が六角形状に形成された内側中空部１１に形成され、その内側中空部１１に、横断面形状が六角形状のドライバービット３の基端部が挿通されて、着脱自在（ロック自在）となる構成である（図５〜図７参照）。
【００３３】
前記ベース内管１０の一部が、先端方向に傾斜して切欠された傾斜切欠部１２として形成されている。即ち、この傾斜切欠部１２は、下記の外側バネ１７のロックピン１７ａの直径より若干大きな切込み口で、当該ベース内管１０の上側の外周面から先端方向に傾斜し、当該ベース内管１０の軸線付近まで切欠して形成されている。
【００３４】
押しバネの外側バネ１７について説明すると、当該外側バネ１７の先端寄り端部が、ベース内管１０の直径線方向に伸びるように加工されたロックピン１７ａとして形成されている。そして、当該ロックピン１７ａが、前記したベース内管１０の傾斜切欠部１２に嵌め込まれ、同傾斜切欠部１２内を移動自在に構成されている。
【００３５】
ロックピン１７ａの位置は、ドライバービット３が内側中空部１１に挿通されないとき、図１や図２に示したように、傾斜切欠部１２の最も深い先端方向寄りの軸線上付近に配置されている。ここで、ドライバービット３が内側中空部１１に挿通されると、図６や図７に示したように、傾斜切欠部１２の略中間位置に移動して配置される。しかし、いずれにしてもロックピン１７ａが傾斜切欠部１２から抜け出ることはない。
【００３６】
したがって、前記ベース内管１０の内側中空部１１にドライバービット３を挿通し、さらに奥まで押し込んでいくと、ドライバービット３の基端部が、傾斜切欠部１２内のロックピン１７ａを傾斜切欠部１２の後方（斜め上方）に移動させる。つづいて、前記ロックピン１７ａが、当該ドライバービット３に形成されている湾曲状の溝部３０上を少し戻る形で滑動して静止し、ドライバービット３がベース継手ａ内でロックされて動かない（図５Ａ参照）。
【００３７】
また、前記ベース継手ａのベース外管１５の外周には、同ベース外管１５より大きく形成され、スライド移動自在なロック解除筒体１９が取り付けられている。このロック解除筒体１９の内部には、リング体１９ｂが軸方向に対し垂直配置に形成されている。当該リング体１９ｂの中央部分は、前記ベース内管１０が嵌挿自在なように、ベース内管１０の外周より若干大きな嵌挿孔１９ａが形成されている。
【００３８】
次に、前記ロック状態の解除要領について説明する。
【００３９】
前記したようにロックピン１７ａが、ドライバービット３の溝部３０内で静止し、ドライバービット３がロックされている図５Ａに図示の状態から、同図５Ａにおいて矢印で示したように、前記ロック解除筒体１９を後方のロッド１側方向に移動させる。
【００４０】
そうすると、ロック解除筒体１９のリング体１９ｂの後方側面が、傾斜切欠部１２内でドライバービット３の溝部３０に嵌め込まれているロックピン１７ａを、ロッド１方向（後方）に押し出し、最終的にロックピン１７ａは、溝部３０を乗り越える。と同時に、ドライバービット３は、内側中空部１１内の内側バネ１４に付勢されて、先端方向に飛び出され、ドライバービット３のロック状態が解除される（図５Ｂ）。なお、そのときのドライバービット３の飛び出し速度を制御する手段については後述する。
【００４１】
次に、先端継手ｂについて説明する。
【００４２】
本実施形態の先端継手ｂは、上述したベース継手ａの先端に着脱自在である。この先端継手ｂの先端部は、ドライバービット３を嵌挿する先端嵌挿孔２１に形成されている。
【００４３】
前記先端嵌挿孔２１の外周にマグネット２２が付与されており、前記マグネット２２にネジ４の頭部４ａ等が吸引自在となっている（図６参照）。
【００４４】
すなわち、本実施形態の先端継手ｂは、先端嵌挿孔２１を有する先端内管２０と、その先端内管２０を覆う先端外管２５とによる二重管構造に形成されており、当該先端内管２０にマグネット２２が付与されている。
【００４５】
また、前記先端内管２０のほぼ中間部分は若干絞られた切欠部２３に形成されており、この切欠部２３の外周にバネ２４が巻装されている。一方、先端外管２５のほぼ中央内周部には、内方に若干突出した内部リング２８が設置されており、この内部リング２８が前記先端内管２０の切欠部２３の基端部内に嵌り込む形で、先端内管２０が先端外管２５に係止されている。よって、先端外管２５の先端で先端内管２０が伸縮自在となっている。
【００４６】
したがって、先端継手ｂとベース継手ａが接続された使用状態では、前記したようなベース継手ａのロック解除筒体１９によってロック状態が解除され先端方向に飛出されるドライバービット３は、当該先端継手ｂの先端嵌挿孔２１内で当該マグネット２２の吸引力（磁力）によって静止され、先端継手ｂから飛び出す虞れがない（図５Ｂ参照）。その際、先端方向に飛び出してきたドライバービット３は、先端内管２０のバネ２４のバネ力でその勢いが緩衝されつつ、先端継手ｂ内で確実に静止する。
【００４７】
さらに、前記の先端嵌挿孔２１は、その先端が平坦な先端フラット面部２１ａに形成され、当該先端フラット面部２１ａにもマグネット２２が付与されている。
【００４８】
よって、先端継手ｂの先端からドライバービット３の頭部３１が少し突き出た使用状態で、当該先端継手ｂの先端をネジ４の頭部４ａに近づけると、前記マグネット２２の吸引力により、先端内管２０が先端方向に伸長し（図６の矢印参照）、ネジ４の頭部４ａは、ドライバービット３の頭部３１に嵌合しつつ、当該先端フラット面部２１ａに吸着されるから、作業効率がすこぶるよい。
【００４９】
なお、前記マグネット２２は、図８に示したような簡便構造の継手ｃや、図９に示したタイプの構造の継手ｄにも適用可能である。なお、図８の継手ｃは、上記ベース継手ａの単独使用ダイプに属し、同図示例では、ドライバービット３は、その溝部３０がロック球５０によってロックされている。図９の継手ｄは、云わば上記ベース継手ａと先端継手ｂの接続タイプに属し、同継手ｄの先端部に内装されたリング状のマグネット２２の先端フラット面部２２ａに、ネジ４の頭部４ａが吸着されている。
【００５０】
上述したベース継手ａと先端継手ｂとの連結構造について説明する。
【００５１】
先端継手ｂの先端外管２５におけるロッド１寄りの基端部は、ベース継手ａの接続環１３との接続を楽に行える構造として、その内側面が前記接続環１３を螺合自在な雌ネジ２６ａを有する基端接続孔２６に形成されている。そして、前記ベース継手ａの接続環１３の外周面は雄ネジ１３ａに形成されている（図１、図４参照）。よって、先端外管２５の基端接続孔２６を、ベース継手ａの接続環１３にネジ込むことで簡単且つ確実にベース継手ａと先端継手ｂを連結することができる（図２）。
【００５２】
或いはまた、前記接続環１３に雄ネジ１３ａを形成せず、また前記基端接続孔２６に雌ネジ２６ａを形成せず、ただ当該基端接続孔２６の内側面に小さな突起部（図示は省略）を設けた簡便構造でも実施可能である。先端継手ｂの当該基端接続孔２６内に設けられた当該突起部が、ベース継手ａの接続環１３を押圧して係止できるからである。
【００５３】
かくして、図５と図６に図示した前記のように、ベース継手ａと先端継手ｂとが連結された状態で、長いドライバービット３のロックとその解除を、安全且つ確実に行うことができる。
【００５４】
同様に、図７に示した如く、ベース継手ａだけを用いて、同ベース継手ａ内でドライバービット３をロックし、又はそのロックを解除することもできる。
【００５５】
特に、深い穴の中で、ネジ４やビスを締め付ける際に、先端継手ｂを接続しないベース継手ａだけで、同ベース継手ａ内に、長いドライバービット３をロックして作業を難なく進められるのである。
【図面の簡単な説明】
【００５６】
【図１】本考案の電動回転工具用継手のベース継手と先端継手を分離して示した一部切欠断面図である。
【００５７】
【図２】電動回転工具用継手のベース継手と先端継手の接続状態を示した一部切欠断面図である。
【００５８】
【図３】電動回転工具用継手を示した全体斜視図である。
【００５９】
【図４】電動回転工具用継手を分解して示した全体斜視図である。
【００６０】
【図５】Ａ、Ｂは先端工具のロック状態と解除状態を示した断面図である。
【００６１】
【図６】先端工具のロック状態における使用状態を示した一部切欠断面図である。
【００６２】
【図７】ベース継手の単独使用状態を示した断面図である。
【００６３】
【図８】異なる実施形態を示した断面図である。
【００６４】
【図９】さらに異なる実施形態を示した断面図である。
【符号の説明】
【００６５】
ａ        ベース継手
ｂ        先端継手
１        ロッド
１０      ベース内管
１１      内側中空部
１２      傾斜切欠部
１３      接続環
１３ａ    雄ネジ
１４      内側バネ
１５      ベース外管
１７      外側バネ
１７ａ    ロックピン
１８      外側中空部
１９      ロック解除筒体
１９ａ    嵌挿孔
１９ｂ    リング体
２０      先端内管
２１      先端嵌挿孔
２１ａ    先端フラット面部
２２      マグネット
２４      バネ
２５      先端外管
２６      基端接続孔
２６ａ    雌ネジ
３        先端工具（ドライバービット）
３０      溝部
４        ネジ
４ａ      頭部
【図１】
0003136334.tif 000003
【図２】
0003136334.tif 000004
【図３】
0003136334.tif 000005
【図４】
0003136334.tif 000006
【図５】
0003136334.tif 000007
【図６】
0003136334.tif 000008
【図７】
0003136334.tif 000009
【図８】
0003136334.tif 000010
【図９】
0003136334.tif 000011